【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
少なくとも２つの表示装置と上記表示装置に映像信号を供給するベース装置からなる映像表示システムであって、
上記ベース装置は、互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備え、
上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、
上記ベース装置の制御手段は、上記操作信号形成手段により形成される表示画像切り替え用の操作信号を上記双方向通信手段を介して受信して、上記表示画像切り替え用の操作信号に応じて上記少なくとも２つのチューナ手段による選局制御を行うことを特徴とする映像表示システム。
【請求項２】
上記ベース装置との間で情報信号の授受を行う双方向通信手段を備える表示装置は、上記接触位置検出手段により検出される上記表示画面上の接触位置の検出出力に基づいて、上記操作信号形成手段により横方向の接触操作入力にチャンネル切替えコマンドを割り付けた操作信号を形成して、上記双方向通信手段を介して上記ベース装置に送信することにより、上記ベース装置から当該表示装置に映像信号を供給するチューナ手段の選局制御を行うことを特徴とする請求項１記載の映像表示システム。
【請求項３】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行うことを特徴とする請求項１記載の映像表示システム。
【請求項４】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルに上記ベース装置から他の表示装置に映像信号を供給するチューナ手段の受信チャンネルを設定する選局制御を行うことを特徴とする請求項１記載の映像表示システム。
【請求項５】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行うことを特徴とする請求項１記載の映像表示システム。
【請求項６】
少なくとも２つの表示装置と上記表示装置に映像信号を供給するベース装置からなる映像表示システムであって、
上記ベース装置は、複数の入力映像信号から上記少なくとも２つの表示装置に出力する映像信号を選択する信号選択手段と、
上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備え、
上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、
上記ベース装置の制御手段は、上記操作信号形成手段により形成される表示画像切り替え用の操作信号を上記双方向通信手段を介して受信して、上記表示画像切り替え用の操作信号に応じて上記選択手段による映像信号の選択制御を行うことを特徴とする映像表示システム。
【請求項７】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置にも供給するように上記信号選択手段の制御を行うことを特徴とする請求項６記載の映像表示システム。
【請求項８】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から他の表示装置に供給している映像信号を当該表示装置にも供給するように上記信号選択手段の制御を行うことを特徴とする請求項６記載の映像表示システム。
【請求項９】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置に供給し、上記ベース装置から他の表示装置に供給している映像信号を当該表示装置に供給するように上記信号選択手段の制御を行うことを特徴とする請求項６記載の映像表示システム。
【請求項１０】
少なくとも２つの表示装置と上記表示装置に映像信号を供給するベース装置からなる映像表示システムにおける映像表示制御装置であって、
互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備える上記ベース装置と、
上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記ベース装置との間で情報信号の授受を行う上記少なくとも１つの表示装置からなり、
上記表示装置の操作信号形成手段により形成される表示画像切り替え用の操作信号を上記双方向通信手段を介して受信して、上記ベース装置の制御手段により上記表示画像切り替え用の操作信号に応じて上記少なくとも２つのチューナ手段による選局制御を行うことを特徴とする映像表示制御装置。
【請求項１１】
上記接触位置検出手段により検出される上記表示画面上の接触位置の検出出力に基づいて、上記操作信号形成手段により横方向の接触操作入力にチャンネル切替えコマンドを割り付けた操作信号を形成して、上記表示装置から上記双方向通信手段を介して上記ベース装置に送信することにより、上記ベース装置から当該表示装置に映像信号を供給するチューナ手段の選局制御を行うことを特徴とする請求項１０記載の映像表示制御装置。
【請求項１２】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行うことを特徴とする請求項１０記載の映像表示制御装置。
【請求項１３】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルに、上記ベース装置から他の表示装置に映像信号を供給するチューナ手段の受信チャンネルを設定する選局制御を行うことを特徴とする請求項１０記載の映像表示制御装置。
【請求項１４】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行うことを特徴とする請求項１０記載の映像表示制御装置。
【請求項１５】
少なくとも２つの表示装置と上記表示装置に映像信号を供給するベース装置からなる映像表示システムにおける映像表示制御装置であって、
複数の入力映像信号から上記少なくとも２つの表示装置に出力する映像信号を選択する信号選択手段と、上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備える上記ベース装置と、
上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記少なくとも１つの表示装置からなり、
上記表示装置の操作信号形成手段により形成される表示画像切り替え用の操作信号を上記双方向通信手段を介して受信して、上記ベース装置の制御手段により上記表示画像切り替え用の操作信号に応じて上記選択手段による映像信号の選択制御を行うことを特徴とする映像表示制御装置。
【請求項１６】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置にも供給するように上記信号選択手段の制御を行うことを特徴とする請求項１５記載の映像表示制御装置。
【請求項１７】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から他の表示装置に供給している映像信号を当該表示装置にも供給するように上記信号選択手段の制御を行うことを特徴とする請求項１６記載の映像表示制御装置。
【請求項１８】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置に供給し、上記ベース装置から他の表示装置に供給している映像信号を当該表示装置に供給するように上記信号選択手段の制御を行うことを特徴とする請求項１６記載の映像表示制御装置。
【手続補正２】
【補正対象書類名】明細書
【補正対象項目名】００１１
【補正方法】変更
【補正の内容】
【００１１】
【課題を解決するための手段】
本発明は、少なくとも２つの表示装置と上記表示装置に映像信号を供給するベース装置からなる映像表示システムであって、上記ベース装置は、互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備え、上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、上記ベース装置の制御手段は、上記操作信号形成手段により形成される表示画像切り替え用の操作信号を上記双方向通信手段を介して受信して、上記表示画像切り替え用の操作信号に応じて上記少なくとも２つのチューナ手段による選局制御を行うことを特徴とする。
【手続補正３】
【補正対象書類名】明細書
【補正対象項目名】００１６
【補正方法】変更
【補正の内容】
【００１６】
また、本発明は、少なくとも２つの表示装置と上記表示装置に映像信号を供給するベース装置からなる映像表示システムであって、上記ベース装置は、複数の入力映像信号から上記少なくとも２つの表示装置に出力する映像信号を選択する信号選択手段と、上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備え、上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、上記ベース装置の制御手段は、上記操作信号形成手段により形成される表示画像切り替え用の操作信号を上記双方向通信手段を介して受信して、上記表示画像切り替え用の操作信号に応じて上記選択手段による映像信号の選択制御を行うことを特徴とする。
【手続補正４】
【補正対象書類名】明細書
【補正対象項目名】００２０
【補正方法】変更
【補正の内容】
【００２０】
また、本発明は、少なくとも２つの表示装置と上記表示装置に映像信号を供給するベース装置からなる映像表示システムにおける映像表示制御装置であって、互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備える上記ベース装置と、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記ベース装置との間で情報信号の授受を行う上記少なくとも１つの表示装置からなり、上記表示装置の操作信号形成手段により形成される表示画像切り替え用の操作信号を上記双方向通信手段を介して受信して、上記ベース装置の制御手段により上記表示画像切り替え用の操作信号に応じて上記少なくとも２つのチューナ手段による選局制御を行うことを特徴とする。
【手続補正５】
【補正対象書類名】明細書
【補正対象項目名】００２５
【補正方法】変更
【補正の内容】
【００２５】
また、本発明は、少なくとも２つの表示装置と上記表示装置に映像信号を供給するベース装置からなる映像表示システムにおける映像表示制御装置であって、複数の入力映像信号から上記少なくとも２つの表示装置に出力する映像信号を選択する信号選択手段と、上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備える上記ベース装置と、上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記少なくとも１つの表示装置からなり、上記表示装置の操作信号形成手段により形成される表示画像切り替え用の操作信号を上記双方向通信手段を介して受信して、上記ベース装置の制御手段により上記表示画像切り替え用の操作信号に応じて上記選択手段による映像信号の選択制御を行うことを特徴とする。
【手続補正６】
【補正対象書類名】明細書
【補正対象項目名】０１１８
【補正方法】変更
【補正の内容】
【０１１８】
【発明の効果】
以上説明したように、本発明によれば、少なくとも２つの表示装置と上記表示装置に映像信号を供給するベース装置からなる映像表示システムにおいて、ベース装置から供給される映像信号に応じた映像を表示する映像表示部の表示画面に設けられ、使用者が接触するようにした上記表示画面上の接触位置を検出する接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を操作信号形成手段により形成し、上記表示画像切り替え用の操作信号を双方向通信手段を介して表示装置から上記ベース装置に送信して、上記ベース装置の制御手段により上記表示画像切り替え用の操作信号に応じて上記ベース装置に備えられる互いに独立に受信チャンネルを選択可能な少なくとも２つのチューナ手段による選局制御を行うことによって、複数の表示装置にベース装置から映像信号を供給するに当たり、ユーザが指で画面をなぞる操作により、映像機器間で映像の授受を行うことを可能にし、従来のリモコンのようなボタン操作とは異なり、感覚的に切替えを行うことができる。